(57)【特許請求の範囲】
【請求項１】
電子機器のポートと被測定物との間が同軸ケーブル（１３）によって接続され、前記同軸ケーブルに帯電した静電気を除電する除電装置（１）において、
前記電子機器のポートに固定され、前記同軸ケーブルが挿入される挿入穴（２ｆ）が形成されたベース部材（２）と、
前記挿入穴に臨む位置を初期位置とし、該挿入穴から挿入される前記同軸ケーブルの同軸コネクタ（１３ａ）の中心導体と外導体に接触して前記静電気を除電する接触部材を有し、前記挿入穴に対して進退するように前記ベース部材に移動自在に固定された除電コンタクト（３）と、
前記除電コンタクトの回動に連動して前記挿入穴に対して進退可動するストッパ（５ａ）を有する可動部材（５）とを備え、
前記除電コンタクトが前記初期位置から退避する方向に回動したときに、前記ストッパが前記挿入穴の一部を塞ぐ位置まで可動することを特徴とする除電装置。
【請求項２】
前記除電コンタクト（３）を回動操作する操作部材（３ｃ）が該除電コンタクトに設けられていることを特徴とする請求項１記載の除電装置。
【請求項３】
前記除電コンタクト（３）が前記初期位置から退避する方向に所定量回動したときに、前記除電コンタクト（３）の回動力が増すように該除電コンタクトに回動力を付与して付勢する付勢部材（７）を備えたことを特徴とする請求項１又は２記載の除電装置。
【請求項４】
請求項１〜３の何れかの除電装置（１）を用いた除電方法において、
前記ベース部材（２）を前記電子機器のポートに固定するステップと、
前記除電コンタクト（３）の接触部材（３ｂ）が臨む前記ベース部材の挿入穴（２ｆ）に前記同軸ケーブル（１３）の同軸コネクタ（１３ａ）を挿入して前記同軸コネクタの中心導体と外導体を前記接触部材に接触させて静電気を除電するステップと、
前記除電コンタクトが前記初期位置から退避する方向に回動したときに、前記ストッパ（５ａ）が前記挿入穴の一部を塞ぐ位置まで可動するステップとを含むことを特徴とする除電方法。
【請求項５】
前記除電コンタクト（３）を回動操作する操作部材（３ｃ）を前記除電コンタクト（３）に設けるステップをさらに含むことを特徴とする請求項４記載の除電方法。
【請求項６】
前記除電コンタクト（３）が前記初期位置から退避する方向に所定量回動したときに、付勢部材（７）により前記除電コンタクト（３）の回動力が増すように該除電コンタクトに回動力を付与して付勢するステップをさらに含むことを特徴とする請求項４又は５記載の除電方法。
【発明の詳細な説明】
【技術分野】
【０００１】
本発明は、計測器などの電子機器を用いて被測定物（ＤＵＴ：Device Under Test ）の各種測定を行う際に、電子機器と被測定物との間を接続する同軸ケーブルに帯電した静電気による電子機器の破損を防止するための除電装置及び除電方法に関する。
【背景技術】
【０００２】
電子機器としての計測器には、例えばＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格に基づく特定の信号方式により被測定物の各種測定を行う機能を有するものが知られている。この種の計測器は、複数の測定ハードウェアと複数の測定アプリケーションを１台の装置に備えており、個々の測定アプリケーションが一定の手順に沿って所定の測定ハードウェアを制御することにより被測定物の測定を行い、その測定結果をユーザに提供している。
【０００３】
ところで、この種の計測器を用いて被測定物の測定を行う場合には、計測器と被測定物との間が同軸ケーブルを介して接続されるが、特に、静電気に弱く保護回路を採用することが困難で高周波数の信号を取り扱う計測器では、同軸ケーブルを接続した際に、同軸ケーブルに帯電した静電気により計測器を破損する恐れがあった。このため、同軸ケーブルを計測器に接続する前に同軸ケーブルに帯電した静電気を除電する必要がある。
【０００４】
そこで、同軸ケーブルに帯電した静電気による計測器の破損を防止する従来の除電装置として、例えば下記特許文献１に開示されるものが知られている。特許文献１に開示される除電装置は、同軸ケーブルの中心導体を同軸コネクタを備えた機器に接地することを目的として、第１の端部が機器に結合される導電性支柱と、導電性支柱の第２の端部に旋回するように取り付けられ、中心導体に接触する隆起した目標領域を具備する導電性ヒンジを含む構成である。この特許文献２に開示される除電装置では、導電性ヒンジが第１の停止位置にあるときに、同軸コネクタに対する同軸ケーブルの到達を妨げ、第２の停止位置にあるときに、同軸コネクタの周囲に位置し、同軸ケーブルの同軸コネクタへの到達を可能にしている。すなわち、特許文献２に開示される除電装置では、同軸コネクタの中心導体に接触する隆起した目標領域を導電性ヒンジに具備し、この導電性ヒンジを旋回させる回動動作により同軸ケーブルに帯電した静電気の除電を行っている。
【先行技術文献】
【特許文献】
【０００５】
【特許文献１】特開２００１−０２３７９２号公報
【発明の概要】
【発明が解決しようとする課題】
【０００６】
しかしながら、上述した特許文献１に開示される従来の除電装置は、機器のシャーシに一体化された構成なので、既存の測定ユニットに対して後から簡単に取り付けることができなかった。しかも、特許文献１に開示される従来の除電装置は、目標領域を具備する導電性ヒンジが支柱に対して旋回するように取り付けられた構成である。このため、同軸ケーブルに帯電した静電気の除電を行う際、目標領域を具備する導電性ヒンジを旋回させる操作が必要不可欠であり、ユーザにとって煩わしい操作が伴うという問題があった。
【０００７】
そこで、本発明は上記問題点に鑑みてなされたものであって、除電を行う際の煩わしい操作を無くすことができる除電装置及び除電方法を提供することを目的としている。
【課題を解決するための手段】
【０００８】
上記目的を達成するため、本発明の請求項１に記載された除電装置は、電子機器のポートと被測定物との間が同軸ケーブル１３によって接続され、前記同軸ケーブルに帯電した静電気を除電する除電装置１において、
前記電子機器のポートに固定され、前記同軸ケーブルが挿入される挿入穴２ｆが形成されたベース部材２と、
前記挿入穴に臨む位置を初期位置とし、該挿入穴から挿入される前記同軸ケーブルの同軸コネクタ１３ａの中心導体と外導体に接触して前記静電気を除電する接触部材を有し、前記挿入穴に対して進退するように前記ベース部材に移動自在に固定された除電コンタクト３と、
前記除電コンタクトの回動に連動して前記挿入穴に対して進退可動するストッパ５ａを有する可動部材５とを備え、
前記除電コンタクトが前記初期位置から退避する方向に回動したときに、前記ストッパが前記挿入穴の一部を塞ぐ位置まで可動することを特徴とする。
【０００９】
請求項２に記載された除電装置は、請求項１の除電装置において、
前記除電コンタクト３を回動操作する操作部材３ｃが該除電コンタクトに設けられていることを特徴とする。
【００１０】
請求項３に記載された除電装置は、請求項１又は２の除電装置において、
前記除電コンタクト３が前記初期位置から退避する方向に所定量回動したときに、前記除電コンタクト３の回動力が増すように該除電コンタクトに回動力を付与して付勢する付勢部材７を備えたことを特徴とする。
【００１１】
請求項４に記載された除電方法は、請求項１〜３の何れかの除電装置１を用いた除電方法において、
前記ベース部材２の固定部２ｅを前記電子機器のポートに固定するステップと、
前記除電コンタクト３の接触部材３ｂが臨む前記ベース部材の挿入穴２ｆに前記同軸ケーブル１３の同軸コネクタ１３ａを挿入して前記同軸コネクタの中心導体と外導体を前記接触部材に接触させて静電気を除電するステップと、
前記除電コンタクトが前記初期位置から退避する方向に回動したときに、前記ストッパ５ａが前記挿入穴の一部を塞ぐ位置まで可動するステップとを含むことを特徴とする。
【００１２】
請求項５に記載された除電方法は、請求項４の除電方法において、
前記除電コンタクト（３）を回動操作する操作部材３ｃを前記除電コンタクト３に設けるステップをさらに含むことを特徴とする。                                        
請求項６に記載された除電方法は、請求項４又は５の除電方法において、
前記除電コンタクト３が前記初期位置から退避する方向に所定量回動したときに、付勢部材７により前記除電コンタクト３の回動力が増すように該除電コンタクトに回動力を付与して付勢するステップをさらに含むことを特徴とする。
【発明の効果】
【００１３】
本発明によれば、従来のような除電のための煩わしい操作を無くし、同軸ケーブルを電子機器のポートに接続する一連の操作過程の中で強制的に除電を行うことができる。
【００１４】
除電コンタクトの回動に連動して挿入穴に対して進退可動するストッパを有する可動部材を備えた構成とすれば、除電コンタクトが初期位置から回動したときに、ストッパが可動して挿入穴の一部を塞ぐので、挿入穴から同軸ケーブルが抜けるのを防ぎ、同軸ケーブルの抜け止めをすることができる。そして、除電装置の次回使用のために、除電コンタクトを初期位置に戻さないと同軸ケーブルを外せなくすることができる。
【００１５】
除電コンタクトに操作部材が設けられた構成とすれば、操作部材を操作することにより、除電コンタクトの開閉状態やストッパの開閉状態を選択的に行うことができる。
【００１６】
付勢部材を備えた構成とすれば、操作部材を操作して除電コンタクトを所定量回動させた時点から除電コンタクトの回動力が増すように付勢部材の回動力も協働するので、余計な力を必要とせずに除電コンタクトを回動させて同軸コネクタの接続を行うことができる。
【図面の簡単な説明】
【００１７】
【図１】（ａ）本発明に係る除電装置の全体構成を示す図であって、除電コンタクトが閉状態で挿入口が開状態を示す図である。  （ｂ）（ａ）の右側面図である。  （ｃ）（ａ）の左側面図である。
【図２】（ａ）本発明に係る除電装置において、除電コンタクトが開状態で挿入口が閉状態を示す図である。  （ｂ）（ａ）の右側面図である。
【図３】（ａ）〜（ｄ）本発明に係る除電装置を用いた除電方法の動作説明図である。
【発明を実施するための形態】
【００１８】
以下、本発明を実施するための形態について、添付した図面を参照しながら詳細に説明する。
【００１９】
本発明に係る除電装置及び除電方法は、被測定物（ＤＵＴ）の各種測定を行う計測器（例えば誤り率測定装置、スペクトラムアナライザ、オシロスコープ、信号発生器）などの電子機器に採用されるものである。
【００２０】
そして、本発明に係る除電装置及び除電方法は、特に、保護回路を採用することが困難で静電気に弱い電子機器を用いて被測定物（ＤＵＴ）の各種測定（例えば、誤り検出測定、遅延測定、パケット損失測定、スループット測定など）を行う際に、電子機器と被測定物との間を接続する同軸ケーブルに帯電した静電気による電子機器の破損を防止することを目的としている。
【００２１】
［電子機器の構成について］
電子機器は、例えば誤り率測定装置、スペクトラムアナライザ、オシロスコープ、信号発生器などの計測器で構成され、例えば入力ポートや出力ポートなどの複数のポート（不図示）を機器本体１１に備えている。そして、ポートに同軸ケーブルを接続する場合、アダプタで固定するタイプと、ネジが切られたポートに固定用ナットで固定するタイプとが知られている。本発明は、何れのタイプにも適用できるが、同軸ケーブル１３をアダプタ１２で固定する場合を例にとって説明する。ポートには、図３に示すように、点線で示す機器本体１１の同軸コネクタ（不図示）にアダプタ１２が着脱可能に取り付けられている。
【００２２】
アダプタ１２は、図３に示すように、袋ナット１２ａ、第１接続部１２ｂ、第２接続部１２ｃを備えている。袋ナット１２ａは、規格化されたものであり、機器本体１１の同軸コネクタに接続する際、例えばトルクレンチなどの工具によって規定トルクで締め付けるようになっている。第１接続部１２ｂは、袋ナット１２ａの一端に袋ナット１２ａよりも小径に形成され、機器本体１１の同軸コネクタに接続される。第２接続部１２ｃは、第１接続部１２ｂと反対に位置する袋ナット１２ａの他端に袋ナット１２ａよりも小径に形成され、同軸ケーブル１３の同軸コネクタ（袋ナット）１３ａが接続される。
【００２３】
尚、以下では、本発明の構成及び方法を計測器に適用した場合を例にとって説明するが、特に、同軸ケーブル１３に帯電した静電気の影響を受けやすい装置であれば計測器のみに限定されず適用することができる。
【００２４】
［除電装置の全体構成について］
図１に示すように、除電装置１は、ベース部材２、除電コンタクト３、固定部材４、可動部材５、連結部材６、付勢部材７を備えて概略構成される。
【００２５】
ベース部材２は、図３に示すように、機器本体１１におけるポートの同軸コネクタに備えたアダプタ１２に取り付けられるものである。ベース部材２は、帯状の金属部材からなり、機器本体１１のアダプタ１２への着脱操作が行えるように金属部材の幅方向の両側面が開放され、金属部材の長さ方向の両端部が直角に折曲されている。さらに説明すると、ベース部材２は、図１（ａ）に示すように、平面状の底面部２ａと、底面部２ａの長さ方向の両端を直角に折曲して対向形成される側面部２ｂ，２ｃと、側面部２ｃの先端をさらに内側に直角に折曲して形成される取付面部２ｄとからなる。そして、側面部２ｂには、ベース部材２を機器本体１１のポート（アダプタ１２）に固定するための固定部としての固定穴２ｅが形成されている。また、側面部２ｃには、同軸ケーブル１３の同軸コネクタ１３ａが挿入される挿入穴２ｆが固定穴２ｅと対向して形成されている。
【００２６】
除電コンタクト３は、同軸ケーブル１３に帯電した静電気を除電するものであり、固定部材４に回動自在に固定される金属部材からなる。除電コンタクト３は、図１（ａ）や図２（ｂ）に示すように、板状部材３ａの一端が固定部材４の中心軸４ｃに対し、挿入穴２ｆに対して進退する矢印Ａ，Ｃ方向に回動自在に軸支されている。また、除電コンタクト３の基部をなす板状部材３ａの先端（開放端）側には、接触部材３ｂと操作部材３ｃが設けられている。
【００２７】
接触部材３ｂは、図１（ａ），（ｂ）に示すように、板状部材３ａの先端側中央に設けられ、同軸ケーブル１３の中心導体と外導体に接触して同軸ケーブル１３に帯電した静電気を除電するため、先端面が球面状に形成された金属部材からなる。操作部材３ｃは、除電コンタクト３を矢印Ａ，Ｃ方向に回動させて図２（ａ）に示す状態（開状態）や図１（ａ）に示す初期位置（閉状態）に操作するためのツマミであり、図１及び図２に示すように、板状部材３ａの先端側の一側端に一体に形成されている。尚、操作部材３ｃは、板状部材３ａとは別部品によって形成することもできる。
【００２８】
除電コンタクト３は、図１（ａ），（ｂ）に示すように、ベース部材２の挿入穴２ｆの略中心に臨む閉状態の位置を初期位置としている。除電コンタクト３は、同軸ケーブル１３を機器本体１１のアダプタ１２に接続するため、同軸ケーブル１３の同軸コネクタ１３ａがベース部材２の挿入穴２ｆから挿入されると、接触部材３ｂの先端面が同軸コネクタ１３ａの中心導体と外導体に接触し、同軸コネクタ１３ａの中心導体と外導体との間をショートさせ、同軸ケーブル１３に帯電した静電気を除電する。
【００２９】
尚、本例における除電コンタクト３は、接触部材３ｂが挿入穴２ｆに臨んでいない図２（ｂ）の状態を「開状態」とし、接触部材３ｂが挿入穴２ｆの略中心に臨んでいる図１（ｂ）の状態を「閉状態」としている。
【００３０】
固定部材４は、除電コンタクト３をベース部材２に対して回動自在に固定保持するもので、固定基台４ａと回動部材４ｂを有している。固定基台４ａは、ベース部材２における底面部２ａの側面部２ｃ寄りに固定されている。回動部材４ｂは、固定基台４ａの両側に中心軸４ｃを中心として回動可能に取り付けられた円板状部材からなる。回動部材４ｂは、図１（ａ）及び図２（ａ）の矢印Ａ，Ｃに示すように、除電コンタクト３が中心軸４ｃを中心として回動するように、除電コンタクト３の板状部材３ａの一端を固定している。
【００３１】
可動部材５は、両端が直角に折曲されたコ字状の金属部材からなり、連結部材６を介して固定部材４と連結されている。可動部材５は、除電コンタクト３の回動に連動して挿入穴２ｆに対して進退可動（図１（ａ）及び図２（ａ）の矢印Ｂ，Ｄ）するものである。すなわち、可動部材５は、除電コンタクト３が固定部材４の中心軸４ｃを中心として図２（ａ）の矢印Ａ方向に回動したときに、その回動力が連結部材６を介して伝達され、図２（ｂ）に示すように、挿入穴２ｆの一部（略下半部）を塞ぐように側面部２ｃの内壁面に沿って側面部２ｃの上方（図１（ａ）及び図２（ａ）の矢印Ｂ）に可動する。これに対し、可動部材５は、除電コンタクト３が固定部材４の中心軸４ｃを中心として図２（ａ）の矢印Ｃ方向に回動したときに、その回動力が連結部材６を介して伝達され、図１（ｂ）に示すように、挿入穴２ｆから退避するように側面部２ｃの内壁面に沿って側面部２ｃの下方（図１（ａ）及び図２（ａ）の矢印Ｄ）に可動する。
【００３２】
そして、可動部材５の可動先端部分は、同軸ケーブル１３の抜け止め用のストッパ５ａとして機能する。ストッパ５ａは、除電装置１の次回使用のために、除電コンタクト３を初期位置に戻さないと同軸ケーブル１３を外せなくすることを目的とし、挿入穴２ｆから挿入された同軸ケーブル１３が挿入穴２ｆから抜けるのを防いでいる。さらに説明すると、ストッパ５ａは、挿入穴２ｆから挿入して除電を終えた同軸ケーブル１３の同軸コネクタ１３ａが機器本体１１のアダプタ１２側に押し込まれ、除電コンタクト３が固定部材４の中心軸４ｃを中心として図２（ａ）の矢印Ａ方向に回動すると、この除電コンタクト３の回動に連動して挿入穴２ｆを塞ぐように可動して閉状態となり、同軸ケーブル１３が挿入穴２ｆから抜けるのを防ぎ、同軸ケーブル１３を抜け止めしている。
【００３３】
尚、本例におけるストッパ５ａは、挿入穴２ｆを塞いでいない図１（ｂ）の状態を「開状態」とし、挿入穴２ｆの一部（略下半部）を塞いでいる図２（ｂ）の状態を「閉状態」としている。
【００３４】
連結部材６は、例えば金属棒や金属ワイヤーなどの線状部材からなり、除電コンタクト３の回動力を可動部材５に伝達して除電コンタクト３の回動に連動して可動部材５を動かすため、固定部材４と可動部材５との間を連結している。連結部材６は、図１及び図２において、２本のワイヤーの一端が固定部材４の本体に係止され、他端が可動部材５の取付穴５ｂに係止されている。これにより、固定部材４と可動部材５との間を両側面の２箇所で連結部材６を介して連結している。
【００３５】
付勢部材７は、例えばコイルスプリングなどからなり、ベース部材２の取付面部２ｄと可動部材５との間に設けられている。付勢部材７は、操作部材３ｃを操作して除電コンタクト３を初期位置から退避する方向（図２（ａ）の矢印Ａ方向）に所定量回動させると、その時点から除電コンタクト３に回転力を付与して回動力が増すように除電コンタクト３を付勢している。
【００３６】
［除電装置を用いた除電方法について］
次に、上記のように構成される除電装置１を用いた除電方法として、同軸ケーブル１３に帯電した静電気を除電する除電動作の処理手順について図３（ａ）〜（ｄ）を参照しながら説明する。
【００３７】
まず、除電装置１を機器本体１１のポートに固定するため、機器本体１１のポートに備えた不図示の同軸コネクタに取り付けられたアダプタ１２を取り外す。次に、ベース部材２の固定穴２ｅを不図示の同軸コネクタに挿入し、ベース部材２の側面部２ｂの内側からアダプタ１２を取り付ける。これにより、除電装置１が機器本体１１のポート（アダプタ１２）に固定して取り付けられる。
【００３８】
次に、同軸ケーブル１３の同軸コネクタ１３ａを機器本体１１のアダプタ１２に接続するため、同軸ケーブル１３の同軸コネクタ１３ａをベース部材２の挿入穴２ｆから挿入する。このとき、可動部材５のストッパ５ａが挿入穴２ｆから退避して開状態にあり、初期状態に待機している除電コンタクト３の接触部材３ｂが挿入穴２ｆに臨んで初期状態にある。この状態で同軸ケーブル１３の同軸コネクタ１３ａを挿入穴２ｆから挿入すると、図３（ａ）に示すように、初期位置に待機している除電コンタクト３の接触部材３ｂに同軸コネクタ１３ａの中心導体と外導体が押し付けられて接触する。これにより、同軸コネクタ１３ａの中心導体と外導体との間が除電コンタクト３の接触部材３ｂを介して導通し、同軸ケーブル１３に帯電した静電気が除電される。
【００３９】
そして、静電気が除電された同軸ケーブル１３の同軸コネクタ１３ａを機器本体１１のアダプタ１２に向けて更に押し込むと、図３（ｂ）に示すように、除電コンタクト３が固定部材４の回動軸４ａを中心として矢印Ａ方向（反時計回り方向）に回動する。除電コンタクト３が回動すると、固定部材４に連結部材６を介して連結された可動部材５が矢印Ｂ方向（上方向）に可動する。可動部材５が可動すると、可動部材５のストッパ５ａが挿入穴２ｆを塞ぐ方向に移動して閉状態となる。これにより、ストッパ５ａによって塞がれた挿入穴２ｆから同軸ケーブル１３が抜けるのを防ぐことができる。この状態で、同軸ケーブル１３の同軸コネクタ１３ａを機器本体１１のアダプタ１２に接続する。
【００４０】
そして、同軸ケーブル１３の同軸コネクタ１３ａを機器本体１１のポート（アダプタ１２）から取り外すときは、図３（ｄ）に示すように、除電コンタクト３の操作部材３ｃ（ツマミ）を矢印Ｃ方向（時計回り方向）に回動操作する。これにより、固定部材４に連結部材６を介して連結された可動部材５が矢印Ｄ方向（下方向）に可動する。そして、除電コンタクト３が元の初期位置に戻ると、除電コンタクト３の回動に連動して可動部材５のストッパ５ａが挿入穴２ｆを開放する方向に移動して開状態となる。これにより、同軸ケーブル１３は、挿入穴２ｆに対して自由に動かすことが可能となり、挿入穴２ｆから引き抜くことができる。
【００４１】
このように、本例の除電装置および除電方法によれば、同軸ケーブル１３を機器本体１１のアダプタ１２に接続する際、除電コンタクト３の接触部材３ｂが臨む挿入穴２ｆから同軸ケーブル１３が挿入されると、同軸ケーブル１３の同軸コネクタ１３ａの中心導体と外導体が除電コンタクト３の接触部材３ｂに接触して同軸コネクタ１３ａの中心導体と外導体との間が接触部材３ｂを介して導通する。これにより、同軸ケーブル１３に帯電した静電気の除電を行う際には、特許文献１に開示される従来の除電装置のような導電性ヒンジを旋回させるというユーザにとって煩わしい操作を省くことができ、同軸ケーブル１３を機器本体１１のアダプタ１２に接続する一連の操作過程の中で同軸ケーブル１３に帯電した静電気の除電を強制的に行うことができる。
【００４２】
また、本例の除電装置１は、特許文献１に開示される従来の除電装置のように、電子機器のシャーシに一体化された構成ではなく、ベース部材２の固定穴２ｅを機器本体１１のアダプタ１２に挿入固定して取り付ける構成なので、必要に応じて電子機器に後からでも簡単に取り付けを行うことができる。
【００４３】
さらに、本例の除電装置１は、除電コンタクト３の回動に連動して挿入穴２ｆに対して進退可動するストッパ５ａを有する可動部材５を備えた構成なので、除電コンタクト３が初期位置から回動したときに、この除電コンタクト３の回動に連動して可動部材５のストッパ５ａが挿入穴２ｆを塞ぐように可動して閉状態となり、挿入穴２ｆから挿入された同軸ケーブル１３が挿入穴２ｆから抜けるのを防ぐことができる。また、除電コンタクト３の接触部材３ｂが挿入穴２ｆから退避した開状態にあり、同軸コネクタ１３の静電気の除電が行えない状態では、可動部材５のストッパ５ａが挿入穴２ｆに臨んだ閉状態にあり、挿入穴２ｆに対する同軸ケーブル１３の同軸コネクタ１３ａの脱着が行えないようになっている。これにより、除電装置１の次回使用のために、除電コンタクト３を初期位置に戻さないと同軸ケーブル１３を外せなくすることができる。
【００４４】
また、本例の除電装置１は、除電コンタクト３に操作部材３ｃとしてのツマミが一体に設けられた構成なので、操作部材３ｃの操作により、除電コンタクト３の開閉状態やストッパ５ａの開閉状態を選択的に行うことができる。その際、除電コンタクト３が初期位置から退避する方向に回動力を付与して付勢する付勢部材７を備えており、操作部材３ｃを操作して除電コンタクト３を所定量回動させた時点から除電コンタクト３の回動力が増すように付勢部材７の付勢力も協働するので、余計な力を必要とせずに除電コンタクト３を回動させて同軸コネクタの接続を行うことができる。
【００４５】
さらに、本例の除電装置１は、除電コンタクト３がベース部材２に対して回動自在に固定部材４を介して取り付けられた構成であるが、除電コンタクト３が挿入穴２ｆに対して進退移動する構成であればよい。例えば、除電コンタクト３がベース部材２に対して直線移動（例えば図１（ａ）の矢印Ｂ，Ｄの上下移動）するように、直線移動可能な部材を介して除電コンタクト３をベース部材２に取り付けるようにしてもよい。この構成によれば、除電装置１を電子機器のポートに取り付けた際の奥行き寸法を小さくすることができる。
【００４６】
また、ベース部材２には、電子機器のポートに固定するための固定部として、固定穴２ｅが形成された構成であるが、この構成に限定されるものではない。すなわち、ベース部材２は、電子機器のポートに固定できる構成であればよく、例えば切欠きなどで固定部を形成することもできる。
【００４７】
ところで、上述した実施の形態では、除電コンタクト３を初期位置に戻す際に操作される操作部材３ｃを板状部材３ａの先端側の一側端（片側）のみに設けた構成としたが、操作部材３ｃを板状部材３ａの両側端（両側）に設ける構成としてもよい。これにより、除電装置１が機器本体１１のアダプタ１２に取り付けられた状態において、利き手に左右されることなく操作部材３ｃを操作することができる。また、除電コンタクト３を図１（ａ）の閉状態から図２（ａ）の開状態にするため、操作部材３ｃを操作して除電コンタクト３を矢印Ａ方向に回動させた場合には、除電コンタクト３を所定量回動させた時点から除電コンタクト３の回動力が増すように付勢部材７の付勢力も協働するので、余計な力を必要とせずに除電コンタクト３を回動させて同軸コネクタの接続を行うことができる。
【００４８】
以上、本発明に係る除電装置及び除電方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４９】
１  除電装置
２  ベース部材
２ａ  底面部
２ｂ，２ｃ  側面部
２ｄ  取付面部
２ｅ  固定穴（固定部）
２ｆ  挿入穴
３  除電コンタクト
３ａ  板状部材
３ｂ  接触部材
３ｃ  操作部材
４  固定部材
４ａ  固定基台
４ｂ  回動部材
４ｃ  中心軸
５  可動部材
５ａ  ストッパ
６  連結部材
７  付勢部材
１１  機器本体
１２  アダプタ
１３  同軸ケーブル
１３ａ  同軸コネクタ
【図１】
0006038853.tif 000002
【図２】
0006038853.tif 000003
【図３】
0006038853.tif 000004